(57)【特許請求の範囲】
【請求項１】
開閉方向である鉛直方向に移動する開閉体と、
構造物の開口部に設けられ、前記開閉体の幅方向における両端部が前記開閉方向に移動自在にそれぞれ挿入されるガイド開口部が形成され、前記開閉体の移動を案内する一対のガイド部材と、
前記一対のガイド部材に着脱可能な防水板と、を備える開閉装置であって、
前記防水板は、
鉛直方向視における合計の長さが前記開口部の幅よりも長くなる第１板部材および第２板部材と、
鉛直方向視において第１板部材および第２板部材が相対回転可能に、第１板部材および第２板部材の対向する連結端部を連結するヒンジ機構と、を備え、
前記連結端部のうち一方に、鉛直方向に沿って上面端部から下面端部まで弾性部材が設けられ、
前記弾性部材は、鉛直方向視において扇形状に形成され、鉛直方向視において、前記扇形状の中心角が、前記一対のガイド部材への前記防水板の設置時に前記第１板部材と前記第２板部材とがなす角度よりも大きく設定されていることで、前記設置時に前記連結端部のうち他方と鉛直方向に沿って接触し、
前記第１板部材および第２板部材の連結端部と反対側の端部が前記ガイド開口部にそれぞれ挿入されることで、前記連結端部が水圧を受ける側に前記開口部より突出して設置されるとともに、前記ヒンジ機構が水圧を受ける側と反対側に位置し、
前記開閉体は、前記設置時に、前記第１板部材および第２板部材の鉛直方向における上面端部と接触する
ことを特徴とする開閉装置。
【請求項２】
前記開閉体が前記設置時に前記第１板部材および第２板部材の鉛直方向における上面端部と接触するとき、前記開閉体の開閉機のブレーキによる巻取軸の回転の規制を解除することで、前記巻取軸から鉛直方向の下方向に延びる前記開閉体の重量が前記第１板部材および第２板部材の鉛直方向における上面端部にかかる
ことを特徴とする請求項１に記載の開閉装置。
【発明の詳細な説明】
【技術分野】
【０００１】
本発明は、防水板を備える開閉装置に関する。
【背景技術】
【０００２】
従来、豪雨、津波、河川の氾濫などの水害時に、外部である屋外からの水は、構造物の開口部から内部である構造物内（屋内）に侵入するため、構造物の開口部に防水機構が設けられている。防水機構としては、開口部の通常使用時には他の場所に保管されている防水板を、水害時に構造部内に水が侵入する虞がある場合に、作業員が開口部に設置して、開口部の底面から所定の高さまでを塞ぐものがある。また、開口部に開閉装置であるシャッター装置が備えられている場合、開閉体の下端部に防水板を設け、開閉体をガイドレールに沿って閉方向に移動させることで、防水板がガイドレールに沿って閉方向に移動し、防水板が床に設置することで、防水板により出入口の底面から所定の高さまでを塞ぐものがある（特許文献１参照）。
【先行技術文献】
【特許文献】
【０００３】
【特許文献１】実公平５−２２６３０号公報
【発明の概要】
【発明が解決しようとする課題】
【０００４】
ここで、作業員が出入口に防水板を設置する場合は、防水板を開口部と平行に設置することとなり、両端部が支持されている防水板が水圧を受けることとなるので、水圧による変形を抑制するため、防水板の板厚を厚くすることとなり、重量増加となる。このため、作業員による防水板の運搬を考慮して、１枚ではなく複数枚の防水板により開口部を塞ぐこととなる。従って、複数の防水板の運搬に時間がかかり、設置作業に時間を要するという問題があった。また、開閉体の下端部に設けられた防水板を開口部に設置する場合は、シャッター装置を閉動作させることで実現することができるが、開状態において防水板を天井裏空間部に収納できず、シャッター装置の外観が損なわれる虞があるという問題があった。
【０００５】
本発明は、上記に鑑みてなされたものであって、着脱可能な防水板において軽量化を図ることができる開閉装置を提供することを目的とするものである。
【課題を解決するための手段】
【０００６】
上述した課題を解決し、目的を達成するために、本発明は、開閉方向である鉛直方向に移動する開閉体と、構造物の開口部に設けられ、前記開閉体の幅方向における両端部が前記開閉方向に移動自在にそれぞれ挿入されるガイド開口部が形成され、前記開閉体の移動を案内する一対のガイド部材と、前記一対のガイド部材に着脱可能な防水板と、を備える開閉装置であって、前記防水板は、鉛直方向視における合計の長さが前記開口部の幅よりも長くなる第１板部材および第２板部材と、鉛直方向視において第１板部材および第２板部材が相対回転可能に、第１板部材および第２板部材の対向する連結端部を連結するヒンジ機構と、を備え、前記連結端部のうち一方に、鉛直方向に沿って上面端部から下面端部まで弾性部材が設けられ、前記弾性部材は、鉛直方向視において扇形状に形成され、鉛直方向視において、前記扇形状の中心角が、前記一対のガイド部材への前記防水板の設置時に前記第１板部材と前記第２板部材とがなす角度よりも大きく設定されていることで、前記設置時に前記連結端部のうち他方と鉛直方向に沿って接触し、前記第１板部材および第２板部材の連結端部と反対側の端部が前記ガイド開口部にそれぞれ挿入されることで、前記連結端部が水圧を受ける側に前記開口部より突出して設置されるとともに、前記ヒンジ機構が水圧を受ける側と反対側に位置し、前記開閉体は、前記設置時に、前記第１板部材および第２板部材の鉛直方向における上面端部と接触することを特徴とする。
【発明の効果】
【００１０】
設置された防水板が三角形状となるため、水圧を受けても連結端部が開口部を越えることはないので、剛性を低下しても、十分に水圧に耐えることができる。従って、軽量化を図ることができるという効果を奏する。また、重量増加を抑制することができるので、運搬が容易である。また、２枚の板部材をヒンジ機構により鉛直方向視において水圧を受ける側が凸となるように広げ、第１板部材および第２板部材の連結端部と反対側の端部を一対のガイド部材のガイド開口部にそれぞれ挿入することだけで設置ができるので、設置が容易である。従って、設置作業が容易となり、設置作業の時間を短縮することができるという効果を奏する。
【図面の簡単な説明】
【００１１】
【図１】図１は、実施形態に係る開閉装置の構成例を示す図である。
【図２】図２は、実施形態に係る防水板の構成例を示す図である。
【図３】図３は、実施形態に係る防水板の収納状態を示す図である。
【図４】図４は、防水板の設置状態を示す図である。
【図５】図５は、防水板の設置状態を示す図である。
【発明を実施するための形態】
【００１２】
以下に、本発明にかかる開閉装置の実施形態を図面に基づいて詳細に説明する。なお、この実施形態によりこの発明が限定されるものではない。また、下記の実施形態における構成要素には、当業者が容易に想定できるもの或いは実質的に同一のものが含まれる。
【００１３】
まず、本実施形態に係る開閉装置であるシャッター装置の全体構造について説明する。図１は、実施形態に係るシャッター装置の全体構成例を示す図である。
【００１４】
シャッター装置１は、巻取軸２にシャッターカーテン４を巻き取る、あるいは巻取軸２からシャッターカーテン４を繰り出すことで、シャッター装置１の開放状態と閉鎖状態を実現するものである。シャッター装置１は、構造物Ｓの開口部Ｓ１に設けられるものである。シャッター装置１は、天井部材１００を挟んで形成される天井裏空間部１０１と室内空間部１０２とに跨って設けられている。本実施形態に係るシャッター装置１は、巻取軸２と、開閉機３と、シャッターカーテン４と、一対のガイドレール５とを含んで構成されている。
【００１５】
巻取軸２は、天井裏空間部１０１に配置されている。巻取軸２は、天井裏空間部１０１に存在する構造物Ｓに取り付けられた一対の軸受部材８により、天井部材１００と水平に配置されるとともに、回転自在に支持されている。巻取軸２は、チェーンやスプロケットなどを含んで構成される動力伝達機構９を介して、開閉機３に連結されている。
【００１６】
開閉機３は、天井裏空間部１０１に配置されており、巻取軸２の回転を制御することで、シャッターカーテン４の巻き取り、あるいは繰り出しを行うものである。開閉機３は、一対の軸受部材８のうち一方（図１では、右側）により取り付けられている。開閉機３は、駆動源としてのモータと巻取軸２の回転を規制するブレーキ、これらを制御する制御装置などを含んで構成されている。
【００１７】
シャッターカーテン４は、開閉体であり、開閉方向に移動するものである。ここで、本実施形態では開方向が鉛直方向のうち上方向、閉方向が鉛直方向のうち下方向となる。シャッターカーテン４は、本実施形態では、複数のスラット４３を開閉方向に連接して形成されたスラット連接体である。シャッターカーテン４の開方向における端部が巻取軸２に連結されている。シャッターカーテン４の幅方向における両端部４１，４１は、一対のガイドレール５に形成されたガイド開口部５１に鉛直方向に移動自在にそれぞれ挿入されている。シャッターカーテン４は、開放状態において、巻取軸２に巻き取られた状態となり天井裏空間部１０１に位置する。一方、シャッターカーテン４は、閉鎖状態において、閉方向の下端部４２が室内空間部１０２の床面１０５と接触（床面１０５とほぼ接触する場合も含む）し、大部分が室内空間部１０２に位置し、一部が天井裏空間部１０１に位置する。
【００１８】
一対のガイドレール５，５は、一対のガイド部材であるとともに、後述する防水板１０が着脱可能な一対の受け部材である。一対のガイドレール５，５は、開閉体であるシャッターカーテン４の移動を案内するとともに、防水板１０を開口部Ｓ１に保持するものである。一対のガイドレール５，５は、構造物Ｓの開口部Ｓ１に設けられている。具体的には、一対のガイドレール５，５は、室内空間部１０２に配置され、柱や壁などの構造物躯体１０４に設けられている。一対のガイドレール５，５は、開口部Ｓ１の幅方向、すなわちシャッターカーテン４の幅方向においてシャッターカーテン４を挟んで対向して設けられている。一対のガイドレール５，５には、幅方向に対向して開口するガイド開口部５１，５１がそれぞれ形成されている。ガイド開口部５１，５１は、防水板１０の長手方向ガイドレール側端部１１ｂ，１２ｂが挿入される保持開口部としても機能するものであり、鉛直方向に沿って形成されている。シャッターカーテン４は、両端部４１，４１が各ガイド開口部５１，５１にそれぞれ沿って移動するので、鉛直方向に移動することとなる。本実施形態では、各ガイド開口部５１，５１は、天井部材１００から床面１０５まで連続して形成されている。
【００１９】
シャッター装置１は、開放動作の開始指示を制御装置が受けると、制御装置によりブレーキが解除されることで、巻取軸２の回転の規制が解除されるとともに、巻取軸２がシャッターカーテン４を巻き取る方向に回転できるように、モータを回転させる。従って、巻取軸２によるシャッターカーテン４の巻き取りが開始され、シャッターカーテン４が一対のガイドレール５，５に案内されながら開方向に移動する。そして、開閉機３に設けられているリミットスイッチからの開放信号により巻取軸２によるシャッターカーテン４の巻き取りの完了を制御装置が検出すると、制御装置によりモータの回転が停止されてブレーキが作動し巻取軸２の回転が規制される。これにより、シャッターカーテン４が天井裏空間部１０１に位置し、天井部材１００、一対のガイドレール５，５、床面１０５とで形成される開閉空間部、すなわち開口部Ｓ１にシャッターカーテン４が存在しなくなり、シャッター装置１が開放状態となる。
【００２０】
一方、シャッター装置１は、閉鎖動作の閉鎖指示を制御装置が受けると、制御装置によりブレーキが解除されることで、巻取軸２の回転の規制が解除されるとともに、巻取軸２がシャッターカーテン４を繰り出す方向に回転できるように、モータを回転させる。従って、巻取軸２によるシャッターカーテン４の繰り出しが開始され、シャッターカーテン４が一対のガイドレール５，５に案内されながら閉方向に移動する。そして、開閉機３に設けられているリミットスイッチからの閉鎖信号により巻取軸２によるシャッターカーテン４の繰り出しの完了を制御装置が検出すると、制御装置によりモータの回転が停止されてブレーキが作動し巻取軸２の回転が規制される。これにより、シャッターカーテン４の大部分が室内空間部１０２に位置し、上記開口部Ｓ１をシャッターカーテン４が閉塞し、シャッター装置１が閉鎖状態となる。なお、制御装置に対する開放動作、閉鎖動作の開始指示は、例えば一対のガイドレール５，５の近傍に設けられたスイッチ装置や、上記制御装置と通信可能な端末装置などからユーザーが指示することで行われても良い。また、閉鎖動作は、ブレーキを解除するのみで、シャッターカーテン４の自重により巻取軸２からシャッターカーテン４を送り出しても良い。また、手動で巻取軸２を回転させることで、シャッターカーテン４の巻き取り、あるいは繰り出しを行っても良い。
【００２１】
次に、本実施形態に係る防水板について説明する。図２は、実施形態に係る防水機構の構成例を示す図である。図３は、実施形態に係る防水板の収納状態を示す図である。図４は、防水板の設置状態を示す図ですある。図５は、防水板の設置状態を示す図ですある。なお、図５は、構造物の開口部を鉛直方向のうち天井側から床面側を見た図である。
【００２２】
防水板１０は、図４に示すように、開口部Ｓ１に設置することで、開口部Ｓ１を介して水害時に外部から構造物Ｓ内に水が侵入することを防止するものである。防水板１０は、図２に示すように、２つの板部材である第１板部材１１と、第２板部材１２と、ヒンジ機構１３と、シール部材１４とにより構成されている。
【００２３】
第１板部材１１および第２板部材１２（以下、単に「各板部材１１，１２」とも称する）は、例えば外周面がステンレス鋼などで形成された平板であり、本実施形態では、開口部Ｓ１の正面視において幅方向に長い長方形状で、同形状に形成されている。第１板部材１１の長手方向の両端部は、第２板部材１２に対向する端部が連結端部１１ａであり、連結端部と反対側の端部である長手方向ガイドレール側端部１１ｂが防水板１０の設置時に、一対のガイドレール５のうち一方のガイド開口部５１に挿入される端部である。第２板部材１２の長手方向の両端部は、第１板部材１１に対向する端部が連結端部１２ａであり、連結端部と反対側の端部である長手方向ガイドレール側端部１２ｂが防水板１０の設置時に、一対のガイドレール５のうち他方のガイド開口部５１に挿入される端部である。ここで、図５に示すように、各板部材１１，１２の鉛直方向視における合計の長さ、本実施形態では、各板部材１１，１２の長手方向の長さＬ１，Ｌ２の合計は、開口部Ｓ１の幅Ｌｓよりも長く設定されている。つまり、各板部材１１，１２の長手方向が幅方向と平行となるように、各板部材１１，１２を開口部Ｓ１に設置しても、直列に並べることができず、一部が重なることとなる。また、各板部材１１，１２の長手方向ガイドレール側端部は、防水板１０の設置時に、一対のガイドレール５，５のガイド開口部５１，５１にそれぞれ挿入できる板厚または形状、かつ各板部材１１，１２の板厚は後述する水圧に耐えることができる厚さに設定されている。
【００２４】
ヒンジ機構１３は、図２に示すように、各板部材１１，１２を連結するものである。ヒンジ機構１３は、第１板部材１１の長手方向の両端部のうち、第２板部材１２に対向する端部である連結端部１１ａと、第２板部材１２の長手方向の両端部のうち、第１板部材１１に対向する端部である連結端部１２ａとを連結することで、鉛直方向視において第１板部材１１および第２板部材１２を相対回転可能に支持するものである。防水板１０の設置時に、各板部材１１，１２が水圧を受ける側と反対側の面に取り付けられている。ヒンジ機構１３は、本実施形態では、各板部材１１，１２の短手方向に延在して１つ設けられているが、これに限定されるものではなく、複数設けられていても良い。
【００２５】
シール部材１４は、図３に示すように、連結端部１１ａ，１２ａのうち一方、本実施形態では、連結端部１１ａに鉛直方向、すなわち第１板部材１１の短手方向に沿って、第１板部材１１の上面端部から下面端部まで設けられている。シール部材１４は、例えば、ゴムやウレタンなどの弾性部材であり、鉛直方向視において扇形状に形成されている。ここで、鉛直方向視において、シール部材１４の第１板部材１１と固定されている側面と第２板部材１２と対向する側面とのなす角度は、長手方向ガイドレール側端部１１ｂ，１２ｂが防水板１０の設置時に、一対のガイドレール５，５のガイド開口部５１，５１にそれぞれ挿入された状態で、第１板部材１１と第２板部材１２とがなす角度よりも大きく設定されている。これにより、防水板１０の設置時に、シール部材１４が第２板部材１２と鉛直方向に沿って接触することとなる。
【００２６】
次に、防水板１０の設置について説明する。防水板１０は、上述のように、着脱可能であるため、シャッター装置１の通常使用時は、別の場所に保管されている。保管時の防水板１０は、図２に示す状態から第１板部材１１に対して第２板部材１２を矢印Ａに回転させることで、図３に示すように、第２板部材１２を第１板部材１１と対向させた状態とする。つまり、防水板１０は、第１板部材１１と第２板部材１２を並列にして、大きさを設置時よりも小さくした状態で保管することができる。従って、防水板１０の保管のスペースを小さくすることができる。また、大きさが小さくなるので、運搬を容易にすることができる。
【００２７】
まず、作業員は、保管されている防水板１０をシャッター装置１まで運搬する。次に、シャッター装置１が開放状態でない場合、作業員は、シャッターカーテン４の閉方向の下端部４２の床面１０５からの高さが各板部材１１，１２の高さ、すなわち短手方向の長さよりも高くなるように、シャッターカーテン４を開方向に移動させる。次に、作業員は、防水板１０を開口部Ｓ１に配置する。このとき、作業員は、防水板１０を図３に示す状態から第１板部材１１に対して第２板部材１２を矢印Ｂに回転させることで、図２に示すように、連結端部１１ａ，１２ａが凸となる三角形状に展開する。次に、作業員は、図５に示すように、三角形状に展開した防水板１０を、連結端部１１ａ，１２ａが水圧を受ける側、すなわち構造物Ｓの外部に開口部Ｓ１より突出するように開口部Ｓ１近傍の床面１０５に配置し、各板部材１１，１２の長手方向ガイドレール側端部１１ｂ，１２ｂを一対のガイドレール５，５のガイド開口部５１，５１にそれぞれ挿入することで、防水板１０を一対のガイドレール５，５により保持し、防水板１０を設置する。
【００２８】
次に、作業員は、シャッターカーテン４の閉方向の下端部４２を各板部材１１，１２の上面端部と接触するまで、シャッターカーテン４を閉方向に移動させる。従って、図４に示すように、設置された防水板１０をシャッターカーテン４による閉方向、すなわち下方向に押圧する。これにより、防水板１０の下面端部が床面１０５と密着することとなり、防水板１０の防水性を向上することができる。
【００２９】
次に、設置時の防水板１０が水圧を受けた場合について説明する。設置時の防水板１０は、図５に示すように、連結端部１１ａ，１２ａが水圧を受ける側に開口部Ｓ１より突出している。この状態で、構造物Ｓの外部から水Ｗが開口部Ｓ１に向かって流れ込むと、防水板１０により開口部Ｓ１が閉塞されているため、防水板１０に対する水位が上昇し、防水板１０が受ける水圧が増加することとなる。各板部材１１，１２は、それぞれの両端部（連結端部１１ａと長手方向ガイドレール側端部１１ｂ、連結端部１２ａと長手方向ガイドレール側端部１２ｂ）がヒンジ機構１３とガイドレール５とに支持されているため、この２点の間で開口部Ｓ１側に向かって各板部材１１，１２を変形させようとする水圧Ｐ１，Ｐ２をそれぞれ受けることとなる。しかしながら、各板部材１１，１２が開口部Ｓ１側に変形しようとすることで、連結端部１１ａ、１２ａが開口部Ｓ１側に引っ張られても、設置された防水板１０が三角形状であるため、連結端部１１ａ、１２ａが開口部Ｓ１を越えることはない。一方、上述のように、開口部Ｓ１の幅方向と平行な防水板１０の鉛直方向視における両端部を一対のガイドレール５，５により保持し、防水板１０を設置した場合は、水圧により水圧を受ける側と反対側に変形してしまうと、防水板１０が一対のガイドレール５，５から外れる虞があるため、防水板１０の水圧による変形を抑制することを目的として、防水板１０の剛性を高めるために、板圧を厚くしたり、剛性が高い材料を使用したりする必要があり結果として重量が増加することとなる。
【００３０】
以上のことから、本実施形態に係るシャッター装置１の防水板１０は、水圧を受けても、開口部Ｓ１側に変形しにくいので、剛性を低下、例えば板厚を薄くしたり、剛性の低い材料を形成したりしても、十分に水圧に耐えることができる。従って、ヒンジ機構で連結された２枚の各板部材１１，１２であっても、軽量化を図ることができる。これにより、重量増加を抑制することができるので、運搬が容易であり、防水板１０の設置時および撤収時に必要な時間を短縮することができる。また、２枚の各板部材１１，１２をヒンジ機構１３により鉛直方向視において水圧を受ける側が凸となるように広げ、第１板部材１１および第２板部材１２の長手方向ガイドレール側端部１１ｂ、１２ｂを一対のガイド部材のガイド開口部にそれぞれ挿入することだけで設置ができるので、設置が容易である。従って、設置作業が容易となり、設置作業の時間を短縮することができる。また、防水板１０の設置には、シャッター装置１の一対のガイドレール５，５を用いるので、既存のシャッター装置１に対して防水機能を追加することができる。また、既存のシャッター装置１に防水機能を追加するために、新たに一対の受け部材を設けることがないので、低コスト化を図ることができる。また、シャッター装置１の通常使用時には、防水部材１０は他の場所に保管することになるので、シャッター装置１の外観を損なうことを防止することができる。
【００３１】
なお、上記実施形態においては、設置した防水板１０の上面端部にシャッターカーテン４の下端部４２を接触させる場合に、開閉機３のブレーキによる巻取軸２の回転の規制を解除しても良い。この場合、巻取軸２から閉方向に延びるシャッターカーテン４分の重量により、設置された防水板１０を押圧することができるので、防水板１０の防水性をさらに向上することができる。
【００３２】
また、上記実施形態においては、各板部材１１，１２の少なくともいずれか一方に、防水板１０の設置に関する説明書きがあることが好ましい。この場合は、防水板１０の運搬時などに、防水板１０の設置に関する説明を読むことができ、シャッター装置１に運搬終了後から防水板１０の設置までの時間を短縮することができ、設置作業の時間をさらに短縮することができる。
【００３３】
また、上記実施形態においては、設置時における防水板１０の下面端部に沿った溝を面床１０５に形成してもよい。この場合、防水板１０の設置時に、防水板１０を形成された溝に挿入する。従って、防水板１０が水圧を受けた際に、防水板１０が水圧を受けた側と反対側に移動することを一対のガイドレール５，５のみならず、防水板１０が溝を形成する水圧を受ける側と反対側の壁面に接触することで規制することができる。これにより、防水板１０からの漏水を抑制することができる。なお、シャッター装置１の通常使用時においては、ふた部材により上記溝を閉塞することが好ましい。
【００３４】
また、上記実施形態においては、防水板１０の設置時に、シャッター装置１の鉛直方向視において、シャッターカーテン４の下端部４２と防水板１０との間に、シャッターカーテン４の下端部４２と接触し、防水板１０の上面端部のうち連結端部１１ａ，１２ａと接触することができる板部材を挟んでも良い。この場合は、防水板１０が水圧を受けた際に、連結端部１１ａ，１２ａが床面１０５から浮き上がることを抑制することができ、防水板１０からの漏水をさらに抑制することができる。
【００３５】
また、防水板１０を開口部Ｓ１にシャッター装置１が備えられているが、これに限定されるものではなく、開口部Ｓ１に一対の受け部材を予め設けて、防水板１０を開口部Ｓ１に直接設置しても良い。この場合、開口部Ｓ１に閉塞する部材が何もない場合であっても、開口部Ｓ１から構造物Ｓ内に水が侵入することを防水板１０により阻止することができる。
【００３６】
また、上記実施形態においては、各板部材１１，１２の長手方向ガイドレール側端部１１ｂ，１２ｂは、一対のガイドレール５，５のガイド開口部５１，５１の形状に合った挿入できる形状の交換可能な部品であってもよい。また、長手方向ガイドレール側端部１１ｂ，１２ｂには、一対のガイドレール５，５のガイド開口部５１，５１と、長手方向ガイドレール側端部１１ｂ，１２ｂとの間をシールすることができるゴムやウレタンなどの弾性部材であるシール部材を設けても良い。また、各板部材１１，１２の下端部、すなわち
防水板１０の下面端部には、下面端部と、床面１０５との間をシールする上記シール部材を設けても良い。
【産業上の利用可能性】
【００３７】
以上のように、本発明に係る開閉装置は、着脱可能な防水板において軽量化を図るのに適している。
【符号の説明】
【００３８】
１  シャッター装置
２  巻取軸
３  開閉機
４  シャッターカーテン
４１  両端部
４２  下端部
４３  スラット
５  ガイドレール（ガイド部材、受け部材）
５１  ガイド開口部（保持開口部）
１０  防水板
１１  第１板部材
１２  第２板部材
１３  ヒンジ機構
１４  シール部材
Ｓ  構造物
Ｓ１  開口部
【図１】
0005997909.tif 000002
【図２】
0005997909.tif 000003
【図３】
0005997909.tif 000004
【図４】
0005997909.tif 000005
【図５】
0005997909.tif 000006